(57)【特許請求の範囲】
【請求項１】
電子部品が装着されるカセットブロックと、前記カセットブロックが組み付けられるフレームと、を備えた電気接続箱であって、
前記フレームに、開口部が設けられ、
前記電子部品が、前記カセットブロックの一端側に設けられた部品装着面に装着され、
前記電子部品に接続される電線が、前記カセットブロックの他端側から前記部品装着面と反対側に導出され、
前記カセットブロックは、前記部品装着面が前記開口部に面する第１の姿勢で前記フレームに保持可能であるとともに、前記第１の姿勢に対して傾いた第２の姿勢で前記フレームに組み付け可能であり、
前記第１の姿勢において、前記カセットブロックの前記部品装着面と平行な方向に空間があり、前記第２の姿勢において、前記空間の少なくとも一部が、前記電子部品が前記カセットブロックに装着された電子部品付きカセットブロックで占有される
ことを特徴とする電気接続箱。
【請求項２】
前記カセットブロックが前記フレームに回転自在に取り付けられている
ことを特徴とする請求項１に記載の電気接続箱。
【発明の詳細な説明】
【技術分野】
【０００１】
本発明は、電子部品が装着されるカセットブロックと、該カセットブロックが組み付けられるフレームと、を備えた電気接続箱に関するものである。
【背景技術】
【０００２】
自動車には多種多様な電子機器が搭載されている。これら多種多様な電子機器に電力供給及び信号伝達を行うために、前記自動車には、複数の電線が束ねられて構成されたワイヤハーネスが複数配索されている。また、前記自動車には、ワイヤハーネスの相互接続に用いられる電気接続箱が適宜箇所に配置されている。
【０００３】
上記電気接続箱の一例として、特許文献１に開示された電気接続箱について説明する。また、図１０は、この電気接続箱における電子部品と電線の接続構造を説明する説明図である。この電気接続箱は、複数のリレー（電子部品）３０４Ａ，３０４Ｂが装着されるカセットブロック３０３と、該カセットブロック３０３が組み付けられるフレーム（不図示）と、を備えている。前記フレームは、電気接続箱の筐体をなすものである。
【０００４】
上記カセットブロック３０３は、合成樹脂で構成されており、箱状の本体部材３３０と、複数の部品装着部３３１と、複数の係止部３１０と、を一体に有している。複数の係止部３１０は、本体部材３３０の側面に設けられており、前記フレームに設けられた係止受け部に係止する。
【０００５】
上記部品装着部３３１には、上記リレー３０４Ａ，３０４Ｂと、リレー３０４Ａ，３０４Ｂの複数の端子部に接続される複数の電線と、が装着される。この部品装着部３３１は、本体部材３３０の内部に設けられているとともにその上端が本体部材３３０の上面３３０ａから突出している。図１０に示すように、リレー３０４Ａ，３０４Ｂは、本体部材３３０の上面３３０ａ側から矢印Ｙ方向に部品装着部３３１に装着される。また、前記複数の電線は端子金具が取り付けられ、本体部材３３０の下面側から部品装着部３３１に装着されることにより、リレー３０４Ａ，３０４Ｂの複数の端子部に接続される。
【０００６】
また、上記カセットブロック３０３は、リレー３０４Ａ，３０４Ｂの装着作業性やメンテナンス作業性を考慮して、本体部材３３０の上面３３０ａが前記フレームの開口部に面する向きで該フレームに組み付けられる。
【先行技術文献】
【特許文献】
【０００７】
【特許文献１】特開２００７−６８２７５号公報
【発明の概要】
【発明が解決しようとする課題】
【０００８】
しかしながら、上述した電気接続箱においては、以下に示す問題があった。すなわち、上記カセットブロック３０３を用いたリレー３０４Ａ，３０４Ｂと電線の接続構造は、リレー端子部の延長線に沿って部品装着部３３１から電線が導出される構造であるため、高さ寸法（矢印Ｙ方向の寸法）が大きくなってしまうという問題があった。
【０００９】
したがって、本発明は、電子部品の装着作業性やメンテナンス作業性に優れ、かつ、低背化が可能な電気接続箱を提供することを目的とする。
【課題を解決するための手段】
【００１０】
上記目的を達成するために請求項１に記載された発明は、電子部品が装着されるカセットブロックと、前記カセットブロックが組み付けられるフレームと、を備えた電気接続箱であって、前記フレームに、開口部が設けられ、前記電子部品が、前記カセットブロックの一端側に設けられた部品装着面に装着され、前記電子部品に接続される電線が、前記カセットブロックの他端側から前記部品装着面と反対側に導出され、前記カセットブロックは、前記部品装着面が前記開口部に面する第１の姿勢で前記フレームに保持可能であるとともに、前記第１の姿勢に対して傾いた第２の姿勢で前記フレームに組み付け可能であり、前記第１の姿勢において、前記カセットブロックの前記部品装着面と平行な方向に空間があり、前記第２の姿勢において、前記空間の少なくとも一部が、前記電子部品が前記カセットブロックに装着された電子部品付きカセットブロックで占有されることを特徴とする電気接続箱である。
【００１１】
請求項２に記載された発明は、請求項１に記載された発明において、前記カセットブロックが前記フレームに回転自在に取り付けられていることを特徴とするものである。
【発明の効果】
【００１２】
請求項１に記載された発明によれば、カセットブロックを第１の姿勢でフレームに保持することにより、電子部品の装着作業やメンテナンス作業を容易に行うことができる。また、電子部品付きカセットブロックを第２の姿勢でフレームに組み付けることにより、低背化を図ることができる。よって、電子部品の装着作業性やメンテナンス作業性に優れ、かつ、低背化が可能な電気接続箱を提供することができる。
【００１３】
請求項２に記載された発明によれば、前記カセットブロックが前記フレームに回転自在に取り付けられているので、カセットブロックを、第１の姿勢から第２の姿勢に、または、第２の姿勢から第１の姿勢に、容易に変位させることができる。
【図面の簡単な説明】
【００１４】
【図１】本発明の第１の実施形態にかかる電気接続箱の斜視図であり、カセットブロックが第１の姿勢でフレームに係止した状態を示す図である。
【図２】図１に示されたカセットブロックが第２の姿勢でフレームに組み付けられた状態を示す斜視図である。
【図３】図１に示されたカセットブロックの斜視図である。
【図４】図１に示されたフレームの斜視図である。
【図５】図３に示されたカセットブロックが第１の姿勢でフレームに係止した状態を示す斜視図である。
【図６】本発明の第１の実施形態にかかる電気接続箱の変形例を示す平面図であり、（ａ）はカセットブロックが第１の姿勢でフレームに係止した状態を示す図であり、（ｂ）はカセットブロックが第２の姿勢でフレームに組み付けられた状態を示す図である。
【図７】本発明の第２の実施形態にかかる電気接続箱の斜視図であり、カセットブロックが第１の姿勢でフレームに係止した状態を示す図である。
【図８】図７に示されたカセットブロックが第２の姿勢でフレームに組み付けられた状態を示す斜視図である。
【図９】図７，８に示されたカセットブロックの動作を説明する説明図である。
【図１０】従来の電気接続箱における電子部品と電線の接続構造を説明する説明図である。
【発明を実施するための形態】
【００１５】
（第１の実施形態）
本発明の第１の実施形態にかかる「電気接続箱」を図１〜５を参照して説明する。図１，２に示す本発明の電気接続箱１は、自動車に搭載されて、該自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００１６】
上記電気接続箱１は、図１，２に示すように、複数の電子部品及びこれら複数の電子部品が接続されるカセットブロック３，１３と、カセットブロック３，１３が組み付けられるフレーム４と、フレーム４の下面を覆うロアカバー５と、フレーム４の上面を覆う図示しないアッパカバーと、を備えている。また、カセットブロック３（請求項中に記載したカセットブロック）には、複数のリレー（請求項中の「電子部品」に相当する。）２が装着される。また、リレー２は、矩形状のリレー本体と、リレー本体から突出した複数の端子部とを有している。
【００１７】
また、図１，２中の矢印Ｙは、電気接続箱１の高さ方向を表しており、矢印Ｙと直交する矢印Ｘは、電気接続箱１の幅方向を表しており、矢印Ｙ及び矢印Ｘと直交する矢印Ｚは、電気接続箱１の奥行き方向を表している。
【００１８】
上記フレーム４は、合成樹脂で構成されており、図４に示すように、４面の外壁４０，４１，４２，４３と、これら外壁４０，４１，４２，４３の内側を仕切った隔壁４４，４５と、を一体に有している。対向した外壁４０及び外壁４２と、対向した外壁４１及び隔壁４４とにより構成される枠部７は、内側にカセットブロック３を位置付ける。図４中の符号７ａは、枠部７の上縁に囲まれた開口部を示している。また、外壁４０，４２及び隔壁４４，４５により構成される枠部１７は、内側にカセットブロック１３を位置付ける。
【００１９】
上記枠部７の内側には、カセットブロック３を図１，５に示すように載せることが可能な載置壁４６が２つ設けられている。これら載置壁４６は、隔壁４４から互いに間隔をあけて外壁４１側に立設している。載置壁４６の上端は、隔壁４４の上端よりも低い位置に配置されている。また、枠部７を構成する外壁４０，４２の内面には、カセットブロック３に設けられた係止部３４と係止する係止受け部４７が設けられている。
【００２０】
上記カセットブロック３は、合成樹脂で構成されており、図３に示すように、ブロック状に形成されたカセットブロック本体３０と、カセットブロック本体３０の上面、すなわち部品装着面３１、から立設した複数のガイド壁３３と、カセットブロック本体３０の両側面に設けられた上記係止部３４と、を一体に有している。部品装着面３１には、各リレー２の端子部が差し込まれる差込口３２が形成されている。
【００２１】
リレー２は、上記リレー本体が部品装着面３１に重ねられるとともに上記複数の端子部が差込口３２に差し込まれることにより上記カセットブロック３に装着される。図３中の矢印Ｐは、リレー２の装着方向を示している。また、上記複数のガイド壁３３は、各リレー２毎に設けられており、リレー２の装着時にリレー本体を部品装着面３１側にガイドする。また、カセットブロック本体３０の内部空間には、リレー２の端子部と、該端子部に電気接続される端子金具付き電線６が収容される。端子金具付き電線６は、カセットブロック本体３０の下面側から矢印Ｐと逆方向にカセットブロック本体３０内に挿入される。また、カセットブロック３は、前記係止部３４が前記係止受け部４７に係止することにより、枠部７に組み付けられる。
【００２２】
このように、リレー２は、カセットブロック３の一端側に設けられた部品装着面３１に装着され、リレー２の端子部に接続される端子金具付き電線６は、カセットブロック３の他端側から部品装着面３１と反対側に導出される。また、複数のリレー２がカセットブロック３に装着されたものを、本発明においては「電子部品付きカセットブロック１０」と呼ぶ。
【００２３】
このようなカセットブロック３は、図１，５に示すように、部品装着面３１が開口部７ａに面する第１の姿勢でフレーム４に保持可能であるとともに、図２に示すように、第１の姿勢に対して傾いた第２の姿勢で、フレーム４の枠部７に組み付け可能である。
【００２４】
すなわち、カセットブロック３は、部品装着面３１が開口部７ａに面する第１の姿勢で載置壁４６上に載置され、カセットブロック本体３０の側面に隔壁４４が沿うことにより、フレーム４に保持される。この状態において、カセットブロック３の部品装着面３１は、隔壁４４の上端よりも上側に位置している。また、この状態において、カセットブロック３と外壁４１との間には空間Ｓ１が設けられている。すなわち、第１の姿勢において、カセットブロック３の部品装着面３１と平行な方向に空間Ｓ１が設けられている。そして、複数のリレー２が装着されたカセットブロック３、すなわち電子部品付きカセットブロック１０、は、前記第１の姿勢に対して９０度傾いた第２の姿勢で、枠部７に組み付けられる。この状態において、電子部品付きカセットブロック１０の一部は、前記空間Ｓ１に位置している（空間Ｓ１を埋めている）とともに、その全体が、隔壁４４の上端よりも低い位置に位置している。すなわち、第２の姿勢において、前記空間Ｓ１の全部が、電子部品付きカセットブロック１０で占有される。また、この状態において、カセットブロック本体３０から導出された端子金具付き電線６は、外壁４０と一方の載置壁４６との間、２つの載置壁４６間、他方の載置壁４６と外壁４２との間、に位置付けられる。
【００２５】
また、第２の姿勢でフレーム４の枠部７に組み付けられた電子部品付きカセットブロック１０の下方かつ外壁４０近傍には、図示しないワイヤハーネスが配索される。図２中の符号９は、前記ワイヤハーネスの引込口である。このように、電気接続箱１は、電子部品付きカセットブロック１０の下方かつ外壁４０近傍にワイヤハーネスが配索されるため、電子部品付きカセットブロック１０の設置スペースに厳しい制約があるが、上述したように、電子部品付きカセットブロック１０を横向きに寝かせてフレーム４内に収めることで、カセットブロック３から導出される端子金具付き電線６を電子部品付きカセットブロック１０の側方に位置させることができ、そのために、フレーム４の高さ寸法を低く抑えることができる。
【００２６】
また、電子部品付きカセットブロック１０の高さ寸法（リレー２の装着方向の寸法であり、図２中にｈ１で示す。）は、カセットブロック３の外壁４０と対向する部分の幅寸法（リレー２の装着方向と直交する方向の寸法であり、図１中にｈ２で示す。）よりも大きい。
【００２７】
続いて、上記電気接続箱１の組立方法の一例を説明する。まず、カセットブロック３に複数の端子金具付き電線６を装着する。次に、このカセットブロック３を、上述した第１の姿勢でフレーム４に保持し、複数のリレー２をカセットブロック３に装着する。そして、この電子部品付きカセットブロック１０を９０度傾け、上述した第２の姿勢で枠部７に組み付ける。この作業と同時または前後に、他のカセットブロック１３を枠部１７に組み付ける。そして、このカセットブロック１３に複数の電子部品を装着する。その後、ロアカバー５及び図示しないアッパカバーをフレーム４に組み付けることにより、電気接続箱１の組立が完了する。
【００２８】
また、組立状態の電気接続箱１の電子部品付きカセットブロック１０をメンテナンスする際は、アッパカバーを外し、電子部品付きカセットブロック１０を一旦、枠部７から外して、カセットブロック３を上述した第１の姿勢でフレーム４に保持する。この状態で、リレー交換等のメンテナンスを行う。
【００２９】
以上、説明したように、本発明の電気接続箱１によれば、カセットブロック３は、部品装着面３１が開口部７ａに面する第１の姿勢でフレーム４に保持可能であるとともに、前記第１の姿勢に対して９０度傾いた第２の姿勢でフレーム４の枠部７に組み付け可能であることから、カセットブロック３を第１の姿勢でフレーム４に保持することにより、リレー２の装着作業やメンテナンス作業を容易に行うことができ、また、電子部品付きカセットブロック１０を第２の姿勢でフレーム４の枠部７に組み付けることにより、フレーム４、すなわち電気接続箱１、の低背化を図ることができる。
【００３０】
次に、上述した電気接続箱１の変形例を説明する。図６は、本発明の第１の実施形態にかかる電気接続箱の変形例を示す平面図であり、（ａ）はカセットブロックが第１の姿勢でフレームに係止した状態を示す図であり、（ｂ）はカセットブロックが第２の姿勢でフレームに組み付けられた状態を示す図である。また、図６において、前述した第１の実施形態と同一構成部分には同一符号を付して説明を省略する。
【００３１】
図６に示す変形例の電気接続箱１’は、第１の実施形態の電気接続箱１と同一の部品を備えており、「第２の姿勢」が異なること以外は、第１の実施形態の電気接続箱１と同一構成となっている。
【００３２】
すなわち、電気接続箱１’のカセットブロック３は、図６（ａ）に示すように、部品装着面３１が開口部７ａに面する第１の姿勢で載置壁４６上に載置されてフレーム４に保持される。この状態において、カセットブロック３と外壁４１との間には空間Ｓ１が設けられている。この「第１の姿勢」は、第１の実施形態の電気接続箱１と同一である。そして、複数のリレー２が装着された電気接続箱１’のカセットブロック３、すなわち電子部品付きカセットブロック１０、は、図６（ｂ）に示すように、前記第１の姿勢に対して９０度傾いた第２の姿勢で、枠部７に組み付けられる。この状態において、電子部品付きカセットブロック１０の一部及びカセットブロック本体３０から導出された端子金具付き電線６は、前記空間Ｓ１に位置しており、リレー２は、外壁４０と一方の載置壁４６との間、２つの載置壁４６間、他方の載置壁４６と外壁４２との間、に位置している。すなわち、第２の姿勢において、前記空間Ｓ１の一部が、電子部品付きカセットブロック１０で占有される。
【００３３】
このように、本発明の第１の実施形態における「第２の姿勢」は、「第１の姿勢」に対して外壁４１側に９０度傾いた姿勢であり、第１の実施形態の変形例における「第２の姿勢」は、「第１の姿勢」に対して隔壁４４側に９０度傾いた姿勢である。
【００３４】
以上、説明したように、本発明の電気接続箱１’によれば、第１の実施形態の電気接続箱１と同様に、カセットブロック３を第１の姿勢でフレーム４に保持することにより、リレー２の装着作業やメンテナンス作業を容易に行うことができ、また、電子部品付きカセットブロック１０を第２の姿勢でフレーム４の枠部７に組み付けることにより、フレーム４、すなわち電気接続箱１’、の低背化を図ることができる。
【００３５】
（第２の実施形態）
本発明の第２の実施形態にかかる「電気接続箱」を図７〜９を参照して説明する。また、図７〜９において、前述した第１の実施形態と同一構成部分には同一符号を付して説明を省略する。図７〜９に示す本発明の電気接続箱１０１は、第１の実施形態と同様に、自動車に搭載されて、該自動車に搭載された電子機器に対して電力供給及び信号伝達を行うものである。
【００３６】
上記電気接続箱１０１は、図７〜９に示すように、複数のリレー（請求項中の「電子部品」に相当する。）２及びこれら複数のリレー２が接続されるカセットブロック１０３と、カセットブロック１０３が組み付けられるフレーム１０４と、フレーム１０４の下面を覆うロアカバー１０５と、フレーム１０４の上面を覆う図示しないアッパカバーと、を備えている。
【００３７】
また、図７〜９中の矢印Ｙは、電気接続箱１０１の高さ方向を表しており、矢印Ｙと直交する矢印Ｘは、電気接続箱１０１の幅方向を表しており、矢印Ｙ及び矢印Ｘと直交する矢印Ｚは、電気接続箱１０１の奥行き方向を表している。
【００３８】
上記フレーム１０４は、合成樹脂で構成されている。フレーム１０４には、対向した外壁１４０及び外壁１４２と、対向した外壁１４１及び隔壁１４４とにより枠状に構成され、内側にカセットブロック１０３を位置付ける枠部１０７と、該枠部１０７の上縁に囲まれた開口部１０７ａと、が設けられている。
【００３９】
図８，９に示すように、外壁１４０の内面には、カセットブロック１０３を載せることが可能な載置凸部１４６が設けられている。また、対向した外壁１４０及び外壁１４２の内面には、カセットブロック１０３に設けられた軸部１３５を軸支する軸取付部１４８が設けられている。カセットブロック１０３は、図９中の矢印Ｆで示すように、フレーム１０４に回転自在に取り付けられる。
【００４０】
上記カセットブロック１０３は、合成樹脂で構成されており、ブロック状に形成されたカセットブロック本体１３０と、カセットブロック本体１３０の上面、すなわち部品装着面１３１、から立設した複数のガイド壁１３３と、カセットブロック本体１３０の両側面に設けられた上記軸部１３５と、を一体に有している。部品装着面１３１には、各リレー２の端子部が差し込まれる差込口１３２が形成されている。
【００４１】
リレー２は、リレー本体が部品装着面１３１に重ねられるとともに複数の端子部が差込口１３２に差し込まれることにより上記カセットブロック１０３に装着される。また、カセットブロック本体１３０の内部空間には、第１の実施形態と同様に、リレー２の端子部と、該端子部に電気接続される端子金具付き電線（図示は省略する。）が収容される。
【００４２】
このように、リレー２は、カセットブロック１０３の一端側に設けられた部品装着面１３１に装着され、リレー２の端子部に接続される端子金具付き電線は、カセットブロック１０３の他端側から部品装着面１３１と反対側に導出される。また、複数のリレー２がカセットブロック１０３に装着されたものを、本発明においては「電子部品付きカセットブロック１１０」と呼ぶ。
【００４３】
このようなカセットブロック１０３は、図７，９に示すように、部品装着面１３１が開口部１０７ａに面する第１の姿勢でフレーム１０４に保持可能であるとともに、図８，９に示すように、第１の姿勢に対して傾いた第２の姿勢で、フレーム１０４の枠部１０７に組み付け可能である。また、電気接続箱１０１には、第２の姿勢においてカセットブロック１０３とフレーム１０４とを固定する図示しない固定手段が設けられている。
【００４４】
すなわち、カセットブロック１０３は、部品装着面１３１が開口部１０７ａに面する第１の姿勢で載置凸部１４６上に載置されることにより、フレーム１０４に保持される。この状態において、カセットブロック１０３と外壁１４１との間には空間Ｓ２（図７を参照。）が設けられている。すなわち、第１の姿勢において、カセットブロック１０３の部品装着面１３１と平行な方向に空間Ｓ２が設けられている。そして、複数のリレー２が装着されたカセットブロック１０３、すなわち電子部品付きカセットブロック１１０、は、前記第１の姿勢に対して９０度傾いた第２の姿勢で、枠部１０７に組み付けられる。この状態において、電子部品付きカセットブロック１１０は、前記空間Ｓ２に位置している（空間Ｓ２を埋めている）。すなわち、第２の姿勢において、前記空間Ｓ２の全部が、電子部品付きカセットブロック１１０で占有される。
【００４５】
また、第２の姿勢でフレーム１０４の枠部１０７に組み付けられた電子部品付きカセットブロック１１０の下方かつ外壁１４０近傍には、図示しないワイヤハーネスが配索される。図９中の符号９は、前記ワイヤハーネスの引込口である。このように、電気接続箱１０１は、電子部品付きカセットブロック１１０の下方かつ外壁１４０近傍にワイヤハーネスが配索されるため、電子部品付きカセットブロック１１０の設置スペースに厳しい制約があるが、上述したように、電子部品付きカセットブロック１１０を横向きに寝かせることで、カセットブロック１０３から導出される端子金具付き電線を電子部品付きカセットブロック１１０の側方に位置させることができ、そのために、フレーム１０４の高さ寸法を低く抑えることができる。
【００４６】
また、電子部品付きカセットブロック１１０の高さ寸法（リレー２の装着方向の寸法であり、図９中にｈ１１で示す。）は、カセットブロック１０３の外壁１４０と対向する部分の幅寸法（リレー２の装着方向と直交する方向の寸法であり、図９中にｈ１２で示す。）よりも大きい。
【００４７】
続いて、上記電気接続箱１０１の組立方法の一例を説明する。まず、カセットブロック１０３の軸部１３５を、フレーム１０４の軸取付部１４８に取り付ける。次に、このカセットブロック１０３を、上述した第１の姿勢でフレーム１０４に保持する。そして、この状態で、カセットブロック１０３に複数の端子金具付き電線及び複数のリレー２を装着する。そして、この電子部品付きカセットブロック１１０を９０度回転させ、上述した第２の姿勢で枠部１０７に組み付ける。その後、ロアカバー１０５及び図示しないアッパカバーをフレーム１０４に組み付けることにより、電気接続箱１０１の組立が完了する。
【００４８】
また、組立状態の電気接続箱１０１の電子部品付きカセットブロック１１０をメンテナンスする際は、アッパカバーを外し、電子部品付きカセットブロック１１０を９０度回転させ、カセットブロック１０３を上述した第１の姿勢でフレーム１０４に保持する。この状態で、リレー交換等のメンテナンスを行う。
【００４９】
以上、説明したように、本発明の電気接続箱１０１によれば、カセットブロック１０３は、部品装着面１３１が開口部１０７ａに面する第１の姿勢でフレーム１０４に保持可能であるとともに、前記第１の姿勢に対して９０度傾いた第２の姿勢でフレーム１０４の枠部１０７に組み付け可能であることから、カセットブロック１０３を第１の姿勢でフレーム１０４に保持することにより、リレー２の装着作業やメンテナンス作業を容易に行うことができ、また、電子部品付きカセットブロック１１０を第２の姿勢でフレーム１０４の枠部１０７に組み付けることにより、フレーム１０４、すなわち電気接続箱１０１、の低背化を図ることができる。また、本発明の電気接続箱１０１によれば、カセットブロック１０３がフレーム１０４に回転自在に取り付けられているので、カセットブロック１０３を、第１の姿勢から第２の姿勢に、または、第２の姿勢から第１の姿勢に、容易に変位させることができる。
【００５０】
また、上述した第１，２の実施形態では、「電子部品」の一例としてリレー２を用いた例を説明したが、本発明の「電気接続箱」に用いられる「電子部品」は、リレー２以外の電子部品であっても良い。
【００５１】
また、上述した第１，２の実施形態では、カセットブロック３，１０３が、第１の姿勢に対して９０度傾いた第２の姿勢でフレーム４，１０４の枠部７，１０７に組み付ける構成であったが、本発明では、第１の姿勢に対する第２の姿勢の傾き角度を電気接続箱のレイアウトに応じて適宜設定することができる。
【００５２】
また、上述した第１，２の実施形態では、フレーム４，１０４とロアカバー５，１０５とが別体であったが、本発明では、フレーム４，１０４とロアカバー５，１０５とが一体であっても良い。すなわち、本発明の「フレーム」は、第１，２の実施形態で説明したフレーム４，１０４のように、上下両方に開口部が設けられたものであっても良く、上側のみに開口部が設けられたもの（フレーム４，１０４とロアカバー５，１０５とが一体の形状）であっても良い。
【００５３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５４】
２  リレー（電子部品）
１，１０１  電気接続箱
３，１０３  カセットブロック
４，１０４  フレーム
７ａ，１０７ａ  開口部
１０，１１０  電子部品付きカセットブロック
３１，１３１  部品装着面
Ｓ１，Ｓ２  空間
【図１】
0005851931.tif 000002
【図２】
0005851931.tif 000003
【図３】
0005851931.tif 000004
【図４】
0005851931.tif 000005
【図５】
0005851931.tif 000006
【図６】
0005851931.tif 000007
【図７】
0005851931.tif 000008
【図８】
0005851931.tif 000009
【図９】
0005851931.tif 000010
【図１０】
0005851931.tif 000011